(57)【要約】ソフトハンドオフをハイブリッドＡＲＱ方式と組み合わせて、通信システムのスループットおよび利得を最大にする方法。ＭＳ（１１０）からのフレームを受信した後、ＢＴＳ１０４，１０６はフレームを処理し、フォワードコントロールチャネルを介して、フレームが任意の誤りを含むか否かをＭＳに通信する。ＢＴＳ全部がフレームが誤りを含むと通信する場合、ＭＳは、同じフレームをフラッシュビットセットと共にＢＴＳの全部に再送して、再送フレームをオリジナルフレームと組み合わせるようＢＴＳ１０４，１０６に指示する。ＢＴＳ数個のみがフレームが誤りを含むと通信する場合、ＭＳは、フレームを首尾よくデコードしたＢＴＳ全部に、フラッシュビットセットと共に次のフレームを送信して、以前のフレームをメモリから消去して、以前のフレームを現在のフレームと組み合わせないよう指示する。ＭＳは、フレームを首尾よくデコードしなかったＢＴＳにフラッシュビットセットと共にフレームを再送して、ＢＴＳに以前のフレームを再送フレームと組み合わせるよう指示する。
2004519122.tif 000002
【特許請求の範囲】
【請求項１】
ハイブリッドＡＲＱを使用してソフトハンドオフを実行する方法であって、
ａ．少なくとも一つのＲＮＣと通信し、かつ移動局と通信する複数の基地局を提供する工程と、
ｂ．移動局からのフレームＰｎ，ｍを、複数の基地局のうちの第一基地局と複数の基地局のうちの第二基地局とに送信する工程と、
ｃ．複数の基地局のうちの第一基地局および第二基地局において、フレームＰｎ，ｍを処理する工程と、
ｄ．移動局において、複数の基地局のうちの第一基地局および第二基地局にフレームＰｎ，ｍを再送すべきか、または次のフレームＰｎ＋１， ｍを送信すべきかを判定する工程とからなる方法であって、フレームＰｎ，ｍを再送すべきと判定した場合はフレームＰｎ，ｍ＋１を送信し、かつ複数の基地局のうちの第一基地局および第二基地局においてＨ−ＡＲＱを使用してフレームＰｎ，ｍをフレームＰｎ，ｍ＋１と組み合わせ、次のフレームＰｎ＋１， ｍを送信すべきと判定した場合は、複数の基地局のうちの第一基地局および第二基地局に次のフレームを送信する方法。
【請求項２】
請求項１に記載の方法であって、前記フレームＰｎ，ｍを処理する工程は、複数の基地局のうちの第一基地局および第二基地局においてフレームＰｎ，ｍをデコードする工程からなる方法。
【請求項３】
請求項１に記載の方法であって、前記フレームＰｎ，ｍを処理する工程は、複数の基地局のうちの第一基地局においてフレームＰｎ，ｍに誤りが含まれるか否かを示す第一品質基準を判定し、複数の基地局のうちの第二基地局においてフレームＰｎ， ｍに誤りが含まれるか否かを示す第二品質基準を判定する工程からなる方法。
【請求項４】
請求項３に記載の方法であって、前記第一品質基準を判定する工程は、第一ＣＲＣを検査する工程からなる方法。
【請求項５】
請求項３に記載の方法であって、前記第二品質基準を判定する工程は、第二ＣＲＣを検査する工程からなる方法。
【請求項６】
請求項１に記載の方法であって、前記フレームＰｎ，ｍを処理する工程は、フレームＰｎ，ｍのソフト情報を格納する工程からなる方法。
【請求項７】
請求項６に記載の方法であって、前記複数の基地局のうちの第一基地局および第二基地局に、フレームＰｎ，ｍを再送すべきか、または次のフレームＰｎ＋１， ｍを送信すべきかを判定する工程は、複数の基地局のうちの第一基地局および第二基地局の少なくとも一つがフレームＰｎ，ｍを正確にデコードした場合に次のフレームＰｎ＋１， ｍを送信することを決定する工程からなる方法。
【請求項８】
請求項７に記載の方法であって、移動局がフラッシュビットを“１”に設定する工程をさらに含み、フラッシュビットの“１”の設定は、複数の基地局のうちの第一基地局および第二基地局に、Ｐｎ，ｍのソフト情報をメモリからクリアするよう指示する方法。
【請求項９】
請求項８に記載の方法であって、複数の基地局のうちの第一基地局および第二基地局においてフレームＰｎ，ｍのソフト情報を消去する工程をさらに含む方法。
【請求項１０】
請求項１に記載の方法であって、前記複数の基地局のうちの第一基地局および第二基地局に、フレームＰｎ，ｍを再送するかまたは次のフレームＰｎ＋１， ｍを送信するかを判定する工程は、前記基地局の双方ともがフレームＰｎ，ｍを正確にデコードしない場合フレームＰｎ，ｍを再送することを決定し、フラッシュビットを“０”に設定することによって、フレームＰｎ，ｍを再送されたフレームＰｎ，ｍ＋１と組み合わせるよう複数の基地局のうちの第一基地局および第二基地局に指示する方法。
【発明の詳細な説明】
【０００１】
（技術分野）
本発明は一般に、通信システムに関し、特に、ハイブリッド自動再送要求方式（ＡＲＱ）を組み合わせたソフトハンドオフに関する。
【０００２】
（発明の背景）
米国電気通信工業会（Ｔｅｌｅｃｏｍｍｕｎｉｃａｔｉｏｎｓ Ｉｎｄｕｓｔｒｙ Ａｓｓｏｃｉａｔｉｏｎ ）は、セルラー方式においてのＣＤＭＡの実施に、暫定標準ＩＳ−９５−Ａ（ＩＳ−９５）を採用している。ＣＤＭＡシステムでは、地理的な領域内に分散した複数の基地局のうちの任意の一つ以上の基地局と通信する。各基地局は、異なる符合位相差を有する同一の拡散符号を備えたパイロットチャネルシグナルを継続的に送信する。位相差はパイロットシグナル同士を相互に区別することを可能に、続いて基地局を区別することを可能にする。以下において、基地局のパイロットシグナルを単にパイロットと称する。移動局はパイロットを監視して、受信したパイロットのエネルギーを測定する。
【０００３】
ＩＳ−９５は、移動局と基地局との間の通信のために、多数の状態およびチャネルを定義する。例えば、トラフィック状態（Ｔｒａｆｆｉｃ   Ｓｔａｔｅ ）に関する移動局制御（Ｍｏｂｉｌｅ  Ｓｔａｔｉｏｎ   Ｃｏｎｔｒｏｌ ）では、基地局は、フォワードトラフィックチャネル（Ｆｏｒｗａｒｄ   Ｔｒａｆｆｉｃ   Ｃｈａｎｎｅｌ ）を介して移動局と通信し、移動局は、リバーストラフィックチャンネル（Ｒｅｖｅｒｓｅ   Ｔｒａｆｆｉｃ   Ｃｈａｎｎｅｌ ）を介して基地局と通信する。呼の間、移動局は、集合的にパイロットセットと称される４つのセット、すなわち、アクティブセット（Ａｃｔｉｖｅ  Ｓｅｔ ）、候補セット（Ｃａｎｄｉｄａｔｅ Ｓｅｔ） 、隣接セット（Ｎｅｉｇｈｂｏｒ Ｓｅｔ）、および残りのセット（Ｒｅｍａｉｎｉｎｇ Ｓｅｔ） を常時監視しかつ保持しなければならない。アクティブセットは、移動局に割り当てられたフォワードトラフィックチャネルに関連したパイロットである。候補セットは、現在はアクティブセット内にはないが、特定の移動局によって十分な強度をもって受信されていて、特定の移動局に関連するフォワードトラフィックチャンネルが首尾よく復調され得ることを示すパイロットである。隣接セットは、現在アクティブセットおよび候補セットのいずれでもないが、ハンドオフの候補になり得る。残りのセットは、現在のシステムにおいて、ＣＤＭＡ周波数割当てにおいて、隣接セット、候補セット、およびアクティブセット内のパイロットを除く、可能なパイロットの全てである。
【０００４】
移動局は、隣接した基地局のパイロットチャネル（Ｐｉｌｏｔ Ｃｈａｎｎｅｌ） において、強度が閾値よりも十分大きいパイロットを常時探査している。移動局は、パイロット強度測定メッセージ（Ｐｉｌｏｔ Ｓｔｒｅｎｇｔｈ Ｍｅａｓｕｒｅｍｅｎｔ Ｍｅｓｓａｇｅ）を使用してその結果を基地局へ信号送信する。移動局が、一つの基地局によってカバーされる領域から他の領域へ移動するにつれ、基地局は特定のパイロットを候補セットからアクティブセットへ、隣接セットから候補セットへと進展させて、この進展をハンドオフ方向メッセージ（Ｈａｎｄｏｆｆ Ｄｉｒｅｃｔｉｏｎ Ｍｅｓｓａｇｅ ）を介して移動局に通知する。新しいアクティブセット内で新しい基地局との通信を開始する場合、移動局が古い基地局との通信を終了する前に、「ソフトハンドオフ」が発生している。リバースリンクにおいては、一般に、各基地局が独立して、各フレームまたはパケットを復調およびデコードする。二つの基地局によってデコードされたフレーム間の仲介は、交換局に依存している。このようなソフトハンドオフの作動は、複数の利点を有する。品質的にはこの機能は、利用者が一つのセルから隣接するセルへ移動する際の、基地局間のハンドオフの信頼性を向上させる。量的には、ソフトハンドオフはＣＤＭＡシステムにおける容量／カバレージを向上させる。
【０００５】
ＣＤＧフェース−ＩＩ（無線通信の次段階のための必要条件を定めるサービスプロバイダ共同体）は、リバースリンクに、より高い平均スループット（約６００ｋｂｐｓ）並びに、高いピーク速度（＞１Ｍｂｐｓ）を要求している。リバースリンクにおけるこれらの要求に答えるためには、ハイブリッドＡＲＱや適応変調および符号化（Ａｄａｐｔｉｖｅ Ｍｏｄｕｌａｔｉｏｎ ａｎｄ Ｃｏｄｉｎｇ） 等の技術が必要となる。
【０００６】
適応変調および符号化（ＡＭＣ）は、変調および誤り訂正方式（ＦＥＣ）方式を、各使用者の平均的なチャネル条件に適合させる柔軟性を提供する。ＡＭＣは、基地局サイトに近接しているか、または他の地理的な利点のためにチャネル品質が良好である使用者に、平均データ速度の大幅な増加を約束する。ＡＭＣを使用した機能強化されたＧＳＭシステム（エンハンストＧＳＭシステム）のデータ速度は、ＡＭＣのない場合の１００ｋｂｐｓと比較すると、３８４ｋｂｐｓにまで高速化されている。同様に、１．２５ＭＨｚ  ＣＯＭＡシステムでは、ダウンリンクのピークデータ速度は、ＡＭＣのない場合は一般に４６０ｋｂｐｓであるが、ＡＭＣを介して５Ｍｂｐｓにまで高速化された速度を提供し得る。しかしながら、ＡＭＣはいくつかの不都合を有する。ＡＭＣは測定誤差および遅延に敏感である。適切な変調を選択するためには、スケジューラがチャネル品質を認識しなければならない。チャネル見積に誤差があると、スケジューラが誤ったデータ速度を選択し、高すぎる電力で送信してシステム容量を浪費したり、または低すぎる電力で送信してブロック誤り率を上昇させたりする。移動チャネルは常時変動しているため、チャネル測定報告の遅延はチャネル品質見積の信頼性も低下させる。チャネル測定報告の周波数を増大させることによって測定の遅延を克服し得るが、この測定報告は、そうでなければデータを伝送するために使用され得るシステム容量を消費する。
【０００７】
ハイブリッドＡＲＱ（Ｈ−ＡＲＱ）は、内在的なリンク適応技術である。それに対して、ＡＭＣは、明示的なＣ／Ｉ測定または同様の測定を使用して変調および符号化のフォーマットを設定し、Ｈ−ＡＲＱにおいて、再送の判定にはリンク層肯定応答が使用される。Ｈ−ＡＲＱを実行するには、追跡コンバイニング（Ｃｈａｓｅ   ｃｏｍｂｉｎｉｎｇ ）、速度適合パンクチャードターボ符号（Ｒａｔｅ  ｃｏｍｐａｔｉｂｌｅ  Ｐｕｎｃｔｕｒｅｄ  Ｔｕｒｂｏ   ｃｏｄｅｓ ）、および増加的冗長（Ｉｎｃｒｅｍｅｎｔａｌ   Ｒｅｄｕｎｄａｎｃｙ）等の多数の方式がある。増加的冗長、即ちＨ−ＡＲＱ−タイプ−ＩＩは、Ｈ−ＡＲＱ技術のもう一つの実施であり、この実施では、符号化パケット全体の単純な繰り返しを送信する代わりに、デコードが最初の試みにおいて失敗したときに付加的な冗長情報が増分的に送信される。
【０００８】
Ｈ−ＡＲＱ−タイプ−ＩＩＩもまた、増加的冗長ＡＲＱスキームの類に属する。しかしながらＨ−ＡＲＱ−タイプ−ＩＩＩは、各再送が自己デコード可能であり、これはＨ−ＡＲＱ−タイプ−ＩＩにはあてはまらない。追跡コンバイニング（これもまたＨ−ＡＲＱ−タイプ−ＩＩＩと称され、一つの冗長バージョンを備える）は、送信器が同一の符号化データパケットを再送するものである。受信器におけるデコーダが、受信されたＳＮＲによって重み付けされたこれらの送信されたパケットの複数の複製を組み合わせる。このようにして、ダイバーシチ（時間）利得が得られる。複数の冗長バージョンを備えるＨ−ＡＲＱ−タイプ−ＩＩＩは、各再送に異なるパンクチャービットを使用する。様々なＨ−ＡＲＱを実行する方法の詳細は、一般に当業者に周知であるために本願では解説しない。
【０００９】
ＡＭＣが組み合わされたＨ−ＡＲＱは、利用者のスループットを非常に増加させ得、システム容量を倍増する可能性がある。実際に、ハイブリッドＡＲＱは、付加的な冗長の増分を送信することによってチャネルに適合し、ここで付加的な冗長の増分は、符号化率を高めて、効率よくデータ速度を遅くすることによってチャネルを一致させる。ハイブリッドＡＲＱは、チャネル見積のみに依存せず、ＡＲＱプロトコルによって発信された誤りにも依存している。目下、Ｈ−ＡＲＱ機能はＢＴＳ内に存在する一方、リバースリンク・ソフトハンドオフはＲＮＣにて実行されている。また基地局は、ＲＮＣのみによって通信可能である。
【００１０】
従って、リバースリンクにおいて、ＡＭＣおよびＨ−ＡＲＱスキームをソフトハンドオフと組み合わせてシステムのスループットおよび利得を最大にする方法が必要である。
【００１１】
（好ましい実施態様の概要）
本発明は、ハイブリッドＡＲＱスキームを使用してシステムのスループットおよび利得を最大にするソフトハンドオフを実行する方法を提供する。現在の好ましい実施態様において、本方法は、少なくとも一つのＲＮＣと通信し、かつ移動局と通信する複数の基地局を提供する工程と、移動局からのフレームＰｎ，ｍを、複数の基地局のうちの第一基地局と、複数の基地局のうちの第二基地局とに送信する工程と、複数の基地局のうちの第一基地局および第二基地局において、フレームＰｎ，ｍを処理する工程と、移動局において、複数の基地局のうちの第一基地局および第二基地局に、フレームＰｎ，ｍを再送すべきか、または次のフレームＰｎ＋１、ｍを送信すべきかを判定する工程とからなり、フレームＰｎ、ｍを再送すべきと判定した場合はフレームＰｎ，ｍ＋１を送信し、かつ複数の基地局のうちの第一基地局および第二基地局においてＨ−ＡＲＱを使用してフレームＰｎ，ｍをフレームＰｎ，ｍ＋１と組み合わせ、次のフレームＰｎ＋１，ｍを送信すべきと判定した場合は、複数の基地局のうちの第一基地局および第二基地局に次のフレームを送信する。
【００１２】
（好ましい実施態様の説明）
リバースリンク（移動局（ＭＳ）から基地局（ＢＴＳ）へ）上のソフトハンドオフは、任意の符号分割多元接続（ＣＤＭＡ）システムの本質的な構成要素である。一般的なＩＳ−９５、ＩＳ−２０００、または広帯域ＣＤＭＡ（Ｗ−ＣＤＭＡ）システムでは、ＢＴＳはソフトハンドオフにおいて、ＭＳによって送信されたパケットまたはフレーム（以後、フレームと称する）をデコードする。ソフトハンドオフでは、最大６個の基地局を備え得る。デコードされたフレームの品質情報は、ＢＴＳから無線ネットワークコントローラ（ＲＮＣ）もしくは選択分配ユニット（Ｓｅｌｅｃｔｉｏｎ   Ｄｉｓｔｒｉｂｕｔｉｏｎ  Ｕｎｉｔ）（ＳＤＵ）へ送信される。ＲＮＣは、ＢＴＳから受信したフレームのうち最も高品質のフレームを選択する。量的には、ソフトハンドオフは、ＣＤＭＡシステムにおける容量／カバレージを向上させる。
【００１３】
図１を参照すると、本発明の好ましい実施態様による通信システムのブロック図が示される。好ましい実施態様において、通信システム１００は、３ＧＧＰ  ＴＳＧ  ＵＴＲＡＮ  ｌｕｂインターフェース１０８を介して、第一ＢＴＳ１０４および第二ＢＴＳ１０６と結合するＲＮＣ１０２を備える。ｌｕｂルブインターフェース１０８は、仕様書＃３ＧＴ５２５，４３０、Ｖ３．２．０の一般態様および原理（Ｇｅｎｅｒａｌ   Ａｓｐｅｃｔｓ   ａｎｄ   Ｐｒｉｎｃｉｐｌｅｓ） に説明されている。第一ＢＴＳ１０４および第二ＢＴＳ１０６は、ＭＳ１１０と結合している。本発明に使用し得るＢＴＳおよびＭＳは、モトローラ社［ 米国イリノイ州アーリントンハイツ］ から入手可能である。本発明に使用し得るＲＮＣは、アルカテル社（Ａｌｃａｔｅｌ）［ フランス国］ 、ノーテル社（Ｎｏｒｔｅｌ）［ 米国テキサス州ダラス］ など数カ所から購入可能である。本願において説明するように、リバースリンク通信の間、ＭＳ１１０は、フレームＰｎ，ｍをＢＴＳ１０４，１０６へ送信する。選択された用語において、ｎはフレームの数、ｍは、同一フレームがＭＳ１１０からＢＴＳ１０４またはＢＴＳ１０６へ送信された回数を表す。例えば、Ｐ１， ２は、ＢＳ１１０から、ＢＴＳ１０４またはＢＴＳ１０６に２回送信された（再送された）第一フレームを表す。
【００１４】
フレームの構成は、図１に示すように、（１）現在のフレームを以前格納したフレームといつ組み合わせるか、または現在のバッファをいつフラッシュ（消去）するかを、ＢＴＳに指示するフラッシュ（Ｆ）ビット、（２）データ、（３）フレームが首尾よくデコードされたか否か（即ち、フレームが任意の誤りを含むか否か）を示す周期的冗長検査（ｃｙｃｌｉｃ ｒｅｄｕｎｄａｎｃｙ ｃｈｅｃｋ ）（ＣＲＣ）ビット、および（４）チャネルデコーダメモリをフラッシュするテールビット（Ｔ）を備える。フレームに含まれる情報を、本願ではソフト情報と称する。本発明によれば、ＢＴＳ１０４，１０６は、Ｈ−ＡＲＱスキームを使用して、複数の再送からのフレームを組み合わせる。
【００１５】
現在の好ましい実施態様において、ＢＴＳ１０４，１０６は、ＭＳ１１０からフレームＰ１，１を受信した後、フレームを処理して、フレームに誤りが含まれるか否かをフォワードコントロ−ルチャネルを介してＭＳ１１０に通信する。ＢＴＳ１０４，１０６の双方が、フレームが誤りを含むと通信した場合、ＭＳ１１０は同じフレームＰ１， ２をＦビットセットと共にＢＴＳ１０４，１０６の双方に再送して、再送したフレームＰ１，２を元の格納された格納フレームＰ１，１と組み合わせるようＢＴＳ１０４，１０６に指示する。ＢＴＳ１０４， １０６の一つがフレームＰ１，１が誤りを含むと通信した場合、あるいはＢＴＳ１０４、１０６の双方ともフレームＰ１，１が誤りを含むと通信しない場合、ＭＳ１１０は次のフレームＰ２，１をＦビットセットと共にＢＴＳ１０４，１０６に送信して、以前のフレームＰ１，１をメモリから消去して、以前のフレームを現在のフレームＰ２，１と組み合わせないようにＢＴＳ１０４，１０６の双方に指示する。本発明の方法の好ましい実施態様を、図２のフローチャートを参照してより詳細に記述する。
【００１６】
図２は、本発明のリバースリンク・ソフトハンドオフ方式の好ましい実施態様のフローチャートである。フローチャートは４つのケース、すなわち、（１）ＢＴＳの双方が、ＭＳによって送信されたフレームを首尾よくデコードする（誤りは検知されない）ケース、（２）ＢＴＳの双方が、フレームを誤ってデコードするケース、（３）第一ＢＴＳがフレームを首尾よくデコードし、第二ＢＴＳがフレームを誤ってデコードするケース、（４）第一ＢＴＳがフレームを誤ってデコードし、第二ＢＴＳがフレームを首尾よくデコードするケース、から構成されている。
【００１７】
ケース１から説明を開始すると、ブロック２０２で、ＭＳ１１０は、現在の例でＰ１，１であるフレームＰｎ，ｍを、第一ＢＴＳおよび第二ＢＴＳ１０６へ送信する。ブロック２０４で、第一ＢＴＳ１０４はフレームＰ１，１を処理する。図３に示すように好ましい実施態様では、ＢＴＳ１０４はフレームＰ１，１（ブロック３０１）をデコードし、フレームＰ１，１（ブロック３０３）の品質標識であるＣＲＣを検査し、フレームＰ１，１（ブロック３０５）を格納する。ＣＲＣ品質標識は、フレームに誤りがあるか否かを示す。再び図２を参照すると、ブロック２０６で、第二ＢＴＳもまたフレームＰ１，１を処理する。図３に示すように好ましい実施態様では、ＢＴＳ１０６はフレームＰ１，１（ブロック３０２）をデコードし、フレームＰ１，１（ブロック３０４）の品質標識であるＣＲＣを検査し、フレームＰ１，１（ブロック３０６）を格納する。次に、判定ブロック２０８，２１０で、第一ＢＴＳ１０４および第二ＢＴＳ１０６の双方は、処理によって首尾よい結果が生み出されたか否か（例、ＣＲＣが、フレームＰ１，１の首尾よいデコードを示すか否か）を判定する。ＢＴＳ１０４，１０６の双方がフレームＰ１，１を首尾よくデコードした場合、ＢＴＳ１０４，１０６の双方は、好ましい実施態様においては、ＡＣＫであるサクセスメッセージをＭＳ１１０（ブロック２１２，２１５）に送信する。その後、ＭＳ１１０は、ＢＴＳ１０４，１０６（ブロック２１６，２１９）から送信されたＡＣＫＳをデコードし、続いて判定ブロック２２０で、ＡＣＫがＢＴＳ１０４，１０６の双方からデコードされたか否かを判定する。ケース１では、ＡＣＫは、ＢＴＳ１０４，１０６の双方からデコードされたため、ＭＳは、次のフレームＰ２，１のフラッシュビット（Ｆ＝１）をＢＴＳ１０４，１０６（ブロック２３０）の双方へ送信されるように設定する。Ｆビットの“１”の設定は、ＢＴＳ１０４，１０６に、受信する次のフレームＰ１，２と格納されたフレームＰ１，１を組み合わせないように指示する。従ってＢＴＳ１０４，１０６は、フレームＰ１，１をメモリからクリアする。
【００１８】
ケース２では、ステップ２０２，ステップ２０４およびステップ２０６は、上述したように実行される。判定ブロック２０８，２１０で、ＢＴＳ１０４，１０６の双方は、フレームＰ１，１が誤ってデコードされたことを判定する。ブロック２１３，２１４で、ＢＴＳ１０４，１０６は、好ましい実施態様においてはＮＡＣＫであるエラーメッセージをＭＳ１１０に送信する。その後、ブロック２０７， ２１８で、ＭＳ１１０はＮＡＣＫをデコードする。続いてフローは、判定ブロック２２０の“ＮＯ”経路を通って、判定ブロック２２２へと継続する。判定ブロック２２２で、ＭＳは、ＭＳがＢＴＳ１０４，１０６の双方からのＮＡＣＫをデコードしたことを判定して、フラッシュビット（Ｆ＝０）をクリアしてＢＴＳ１０４，１０６の双方へ次のフレームＰ１，２（第一フレームの再送）を送信する（ブロック２２８）。Ｆのクリアは、ＢＴＳ１０４，１０６に、ＴＳ１０４，１０６が受信する次のフレームＰ１，２を格納フレームＰ１，１と組み合わせるよう指示する。従って、ＢＴＳ１０４，１０６は、フレームＰ１，１をメモリからクリアしない。ケース２では、フレームのデコードを失敗し、失敗したフレームを格納し、失敗したフレームを再送し、失敗したフレームを組み合わせる上述の工程は、ＢＴＳ１０４，１０６の少なくとも一つがフレームを首尾よくデコードするまでか、または予め設定したタイムアウト時間に到達するまで連続する。本発明によれば、ＢＴＳ１０４，１０６は、フレームを組み合わせるのに、前に開示したＨ−ＡＲＱスキームの一つを使用する。
【００１９】
ケース３では、ステップ２０２，ステップ２０４およびステップ２０６は、上記のケース１において記述したものと同様に実行される。判定ブロック２０８で、第一ＢＴＳ１０４が、フレームＰ１，１が首尾よくデコードされたことを判定する。判定ブロック２１０で、第二ＢＴＳ１０６が、フレームＰ１，１が誤ってデコードされたことを判定する。ブロック２１３で、第一ＢＴＳ１０４はＭＳ１１０にＡＣＫを送信する。ブロック２１４で、第二ＢＴＳ１０６がＭＳ１１０にＮＡＣＫを送信する。ブロック２１６で、ＭＳ１１０は、第一ＢＴＳ１０４から送信されたＡＣＫをデコードし、ブロック２１８で、第二ＢＴＳ１０６から送信されたＮＡＣＫをデコードする。フローは、判定ブロック２２０，２２２の“ＮＯ”経路を通って、判定ブロック２２４へと継続する。判定ブロック２２４で、ＭＳ１１０は、ＭＳ１１０が、第一ＢＴＳ１０４からのＡＣＫおよび第二ＢＴＳ１０６からのＮＡＣＫをデコードしたことを判定する。ブロック２３０で、ＭＳは、次のフレームＰ２，１のＦビットを一（Ｆ＝１）に設定する。ＢＴＳ１０４の一つがフレームＰ１，１を首尾よくデコードしたために、ＢＴＳ１０４，１０６の双方はフレームＰ１，１をメモリから消去して、次のフレームＰ２，１をフレームＰ１，１と組み合わせない。
【００２０】
ケース４では、ステップ２０２，ステップ２０４およびステップ２０６は、上記のケース１において記述したものと同様に実行される。判定ブロック２０８で、第一ＢＴＳ１０４が、フレームＰ１，１が誤ってデコードされたことを判定する。判定ブロック２１０で、第二ＢＴＳ１０６が、フレームＰ１，１が首尾よくデコードされたことを判定する。ブロック２１５で、第二ＢＴＳ１０６はＭＳ１１０にＡＣＫを送信する。ブロック２１７で、ＭＳ１１０は、第一ＢＴＳ１０４から送信されたＮＡＣＫをデコードし、ブロック２１９で、第二ＢＴＳ１０６から送信されたＡＣＫをデコードする。フローは、判定ブロック２２０，２２２の“ＮＯ”経路を通って、判定ブロック２２６へと継続する。判定ブロック２２６で、ＭＳ１１０は、ＭＳ１１０が第一ＢＴＳ１０４からのＮＡＣＫおよび第二ＢＴＳ１０６からのＡＣＫをデコードしたことを判定する。ブロック２３０で、ＭＳは、次のフレームＰ２，１のＦビットを一（Ｆ＝１）に設定する。ＢＴＳ１０６の一つがフレームＰ１，１を首尾よくデコードしたために、ＢＴＳ１０４，１０６の双方は、フレームＰ１，１をメモリから消去して、次のフレームＰ２，１をフレームＰ１，１と組み合わせない。
【００２１】
上述した４つのケースの全てにおいて、ＢＴＳ１０４，１０６がＭＳ１１０から受信したフレームを処理した後、ＢＴＳは、フレームをフレームの品質標識と共にＲＮＣ１０２に送信する。ＲＮＣは、最も品質の良いフレームを選択するであろう。Ｈ−ＡＲＱをソフトハンドオフと組み合わせることによって、スループット容量の増加、カバレージの増大、移動局バッテリー寿命の長期化を含む多数の利点が提供される。
【００２２】
当業者は、本発明の装置および本装置の構成において様々な改良および変更を為し得ることを理解するであろう。例えば、本発明の方法は、２個より多い基地局を備えた通信システムに実施することができる。
【図面の簡単な説明】
【図１】Ｈ−ＡＲＱ方法を使用してリバースリンク・ソフトハンドオフを実行し得る本発明の通信システムのブロック図。
【図２】本発明のソフトハンドオフ方法のフローチャート。
【図３】図２のフローチャートにおける処理ブロックのフローチャート。
【図１】
2004519122.tif 000003
【図２】
2004519122.tif 000004
【図３】
2004519122.tif 000005
【国際公開パンフレット】
2004519122.tif 000006
2004519122.tif 000007
2004519122.tif 000008
2004519122.tif 000009
2004519122.tif 000010
2004519122.tif 000011
2004519122.tif 000012
2004519122.tif 000013
2004519122.tif 000014
2004519122.tif 000015
2004519122.tif 000016
2004519122.tif 000017
2004519122.tif 000018
2004519122.tif 000019
2004519122.tif 000020
2004519122.tif 000021
【国際公開パンフレット（コレクトバージョン）】
2004519122.tif 000022
【国際調査報告】
2004519122.tif 000023
2004519122.tif 000024
2004519122.tif 000025